(57)【特許請求の範囲】
【請求項１】
フォルダ内のファイルを開くための方法であって、
前記フォルダのアイコンが配置されているユーザインタフェース位置周辺の空きスペースを検出するステップと、
前記検出された空きスペースが設定された閾値以上であるときに、前記空きスペースに向かって前記フォルダの前記アイコンを拡張するステップであって、拡張される前記フォルダのアイコン領域はプリセット領域とサムネイル表示領域を含み、前記プリセット領域は前記フォルダ内のプリセットファイルに関する情報を表示し、前記サムネイル表示領域は前記フォルダ内のファイルのサムネイルを表示するために使用される、ステップと、
前記プリセットファイルに関する前記情報を前記プリセット領域に表示するステップと、
前記フォルダ内の前記ファイルの前記サムネイルを前記サムネイル表示領域に表示するステップと、  フォルダのアイコン領域で実行される操作を取得するステップと、
前記操作が前記フォルダの前記アイコン領域のプリセット領域で実行されたかどうかを判定するステップでと、
前記操作が前記フォルダの前記アイコン領域の前記プリセット領域で実行された場合に、前記プリセットファイルを開くステップと、
前記操作が前記フォルダの前記アイコン領域の前記サムネイル表示領域で実行された場合に、前記フォルダを開くステップと、
を含む、方法。
【請求項２】
前記フォルダのアイコンが配置されているユーザインタフェース位置周辺の空きスペースを検出する前記ステップが、
前記フォルダが配置されているユーザインタフェース位置の横方向または縦方向の両側で空きスペースを検出するステップ
を含む、請求項1に記載の方法。
【請求項３】
前記検出された空きスペースが設定された閾値以上であるときに、前記空きスペースに向かって前記フォルダの前記アイコンを拡張する前記ステップが、
前記検出された空きスペースが前記設定された閾値以上であるときに、前記フォルダが前記プリセットファイルを含んでいるかどうかを判定するステップと、
前記フォルダが前記プリセットファイルを含んでいると判定された場合に、前記空きスペースに向かって前記フォルダの前記アイコンを拡張するステップと
を含む、請求項1または2に記載の方法。
【請求項４】
前記フォルダのアイコンが配置されているユーザインタフェース位置周辺の空きスペースを検出する前記ステップの前に、前記方法が、
前記フォルダの前記アイコンを拡張するために使用される操作を取得するステップ
をさらに含み、
前記フォルダのアイコンが配置されているユーザインタフェース位置周辺の空きスペースを検出する前記ステップは、
前記フォルダの前記アイコンを拡張するために使用される前記操作に応じて、前記フォルダの前記アイコンが配置されている前記ユーザインタフェース位置周辺の前記空きスペースを検出するステップ
を含む、
請求項1から3のいずれか一項に記載の方法。
【請求項５】
前記フォルダの前記アイコン領域が、複数の前記プリセットファイルに関する情報をそれぞれに対応して表示する複数の前記プリセット領域を含む、請求項1から4のいずれか一項に記載の方法。
【請求項６】
フォルダのアイコンが配置されているユーザインタフェース位置周辺の空きスペースを検出するように構成された、検出ユニットと、
前記検出ユニットによって検出された前記空きスペースが設定された閾値以上であるときに、前記空きスペースに向かって前記フォルダの前記アイコンを拡張するように構成された拡張ユニットであって、拡張される前記フォルダのアイコン領域はプリセット領域とサムネイル表示領域を含み、前記プリセット領域は前記フォルダ内のプリセットファイルに関する情報を表示し、前記サムネイル表示領域は前記フォルダ内のファイルのサムネイルを表示するために使用される、前記拡張ユニットと、
前記拡張ユニットが前記空きスペースに向かって前記フォルダの前記アイコンを拡張した後に、前記プリセットファイルに関する前記情報を前記プリセット領域に表示するように構成された、表示ユニットと
前記フォルダの前記アイコン領域で実行される操作を取得するように構成された取得ユニットと、
前記取得ユニットによって取得された前記操作が前記フォルダの前記アイコン領域のプリセット領域で実行されたかどうかを判定するように構成された判定ユニットであって、判定ユニットと、
前記判定ユニットが、前記操作は前記フォルダの前記アイコン領域の前記プリセット領域で実行されたと判定した場合に、前記プリセットファイルを開き、前記判定ユニットが、前記操作は前記フォルダの前記アイコン領域の前記サムネイル表示領域で実行されたと判定した場合に、前記フォルダを開くように構成されたオープニングユニットと、
を含む、端末。
【請求項７】
前記検出ユニットが、特に、
前記取得ユニットが前記フォルダの前記アイコン領域で実行される前記操作を取得する前に、前記フォルダが配置されているユーザインタフェース位置の横方向または縦方向の両側で空きスペースを検出するように構成されること
を含む、請求項6に記載の端末。
【請求項８】
前記拡張ユニットが、特に、
前記プリセットファイルに関する前記情報が前記プリセット領域に表示されるために使用される場合、前記検出ユニットによって検出された前記空きスペースが前記設定された閾値以上であるときに、前記フォルダが前記プリセットファイルを含んでいるかどうかを判定するように、および、前記フォルダが前記プリセットファイルを含んでいると判定された場合に、前記空きスペースに向かって前記フォルダの前記アイコンを拡張するように構成されること
を含む、請求項6または7に記載の端末。
【請求項９】
前記取得ユニットが、前記検出ユニットが前記フォルダの前記アイコンが配置されている前記ユーザインタフェース位置周辺の前記空きスペースを検出する前に、前記フォルダの前記アイコンを拡張するために使用される操作を取得するようにさらに構成され、
前記検出ユニットが、前記フォルダの前記アイコンが配置されている前記ユーザインタフェース位置周辺の前記空きスペースを検出するように構成されることは、
前記検出ユニットが、前記フォルダの前記アイコンを拡張するために使用され、前記取得ユニットによって取得された前記操作に応じて、前記フォルダの前記アイコンが配置されている前記ユーザインタフェース位置周辺の前記空きスペースを検出するように構成されること
を含む、請求項6から8のいずれか一項に記載の端末。
【請求項１０】
前記取得ユニットが、前記フォルダの前記アイコン領域で実行された前記操作を取得するように構成され、前記フォルダの前記アイコン領域は、複数の前記プリセットファイルに関する情報をそれぞれに対応して表示する複数の前記プリセット領域を含む、請求項6または9に記載の端末。
【請求項１１】
フォルダのアイコン領域で実行される操作を取得するように構成された入力装置と、
前記フォルダ内のプリセットファイルに関する情報をプリセット領域に表示し、前記フォルダ内のファイルのサムネイルをサムネイル表示領域に表示するように構成された出力装置と、
前記入力装置および前記出力装置に別々に接続されたプロセッサであって、前記入力装置によって取得された前記操作が、前記フォルダの前記アイコン領域の前記プリセット領域で実行されたか前記フォルダの前記アイコン領域の前記サムネイル表示領域で実行されたかどうかを判定するように、および、前記操作が前記フォルダの前記アイコン領域の前記プリセット領域で実行された場合に、前記プリセットファイルを開き、前記操作が前記フォルダの前記アイコン領域の前記サムネイル表示領域で実行された場合に、前記フォルダを開くように構成されたプロセッサと
を含む、端末。
【発明の詳細な説明】
【技術分野】
【０００１】
本発明は、通信技術の分野に関し、特に、フォルダ内のファイルを開く方法および端末に関する。
【背景技術】
【０００２】
一般に、フォルダは、例えば、スマートフォンまたはコンピュータのユーザインタフェースの、端末装置に設定され、ユーザは、フォルダを使用してアプリケーションまたはファイルを管理することができる。ユーザがフォルダ内のファイルを開く必要がある場合、ユーザは、フォルダを開くために、フォルダのアイコンを最初にクリックまたはタップするだけで対象ファイルのアイコンを見ることができ、その後、対象ファイルのアイコンを見つけて、対象ファイルのアイコンをクリックするだけで、対象ファイルを開くことができる。ファイルは、ここで、端末装置上のアプリケーションを含んでいる。つまり、従来技術では、フォルダ内のファイルを開くには、フォルダを開くために、ユーザがフォルダをクリックする操作を最初に取得し、その後、対象ファイルを選択して開く操作を取得するだけで、端末は対象ファイルを開くことができる。したがって、フォルダが開かれていないときに、ユーザは、従来技術を使用して、フォルダ内の対象ファイルを直接見ることができず、対象ファイルを直接開くことができない。
【発明の概要】
【０００３】
本発明の実施形態は、フォルダ内のファイルを開くための方法および端末を提供している。本発明の実施形態は、フォルダが開かれていないときに、ユーザはフォルダ内のファイルのアイコンを見ることができ、また見たファイルを直接開くことができる。
【課題を解決するための手段】
【０００４】
本発明の第1の態様によれば、フォルダ内のファイルを開くための方法が提供され、この方法は、
フォルダのアイコン領域で実行される操作を取得するステップと、
操作がフォルダのアイコン領域のプリセット領域で実行されたかどうかを判定するステップであって、プリセット領域はフォルダ内のプリセットファイルに関する情報を表示する、ステップと、
操作がフォルダのアイコン領域のプリセット領域で実行された場合に、プリセットファイルを開くステップと
を含む。
【０００５】
本発明の第1の態様を参照すると、第1の態様の第1の可能な実施態様において、本方法は、
操作がプリセット領域を除いたフォルダのアイコン領域で実行された場合に、フォルダを開くステップをさらに含む。
【０００６】
本発明の第1の態様または第1の態様の第1の可能な実施態様を参照すると、第1の態様の第2の可能な実施態様において、フォルダのアイコン領域は、複数のプリセットファイルに関する情報をそれぞれに対応して表示する複数のプリセット領域を含む。
【０００７】
本発明の第1の態様、または第1の態様の第1もしくは第2の可能な実施態様を参照すると、第1の態様の第3の可能な実施態様において、フォルダのアイコン領域で実行される操作を取得するステップの前に、本方法は、
フォルダのアイコンが配置されているユーザインタフェース位置周辺の空きスペースを検出するステップと、
検出された空きスペースが設定された閾値以上であるときに、空きスペースに向かってフォルダのアイコンを拡張するステップであって、拡張されるフォルダのアイコン領域はプリセット領域を含む、ステップと、
プリセットファイルに関する情報をプリセット領域に表示するステップと
をさらに含む。
【０００８】
本発明の第1の態様の第3の可能な実施態様を参照すると、第1の態様の第4の可能な実施態様において、フォルダのアイコンが配置されているユーザインタフェース位置周辺の空きスペースを検出するステップは、
フォルダが配置されているユーザインタフェース位置の横方向または縦方向の両側で空きスペースを検出するステップを含む。
【０００９】
本発明の第1の態様の第3もしくは第4の可能な実施態様を参照すると、第1の態様の第5の可能な実施態様において、検出された空きスペースが設定された閾値以上であるときに、空きスペースに向かってフォルダのアイコンを拡張するステップは、
検出された空きスペースが設定された閾値以上であるときに、フォルダがプリセットファイルを含んでいるかどうかを判定するステップと、
フォルダがプリセットファイルを含んでいると判定された場合に、空きスペースに向かってフォルダのアイコンを拡張するステップと
を含む。
【００１０】
本発明の第1の態様の第3から第5の可能な実施態様のいずれか1つを参照すると、第1の態様の第6の可能な実施態様において、フォルダのアイコンが配置されているユーザインタフェース位置周辺の空きスペースを検出するステップの前に、本方法は、
フォルダのアイコンを拡張するために使用される操作を取得するステップをさらに含み、
フォルダのアイコンが配置されているユーザインタフェース位置周辺の空きスペースを検出するステップは、
フォルダのアイコンを拡張するために使用される操作に応じて、フォルダのアイコンが配置されているユーザインタフェース位置周辺の空きスペースを検出するステップを含む。
【００１１】
本発明の第1の態様の第6の可能な実施態様を参照すると、第1の態様の第7の可能な実施態様において、フォルダのアイコンを拡張するために使用される操作を取得するステップの前に、本方法は、
フォルダのアイコンが操作待ち状態に入るように、フォルダのアイコンが操作待ち状態に入るようにするために使用される操作を取得するステップをさらに含む。
【００１２】
本発明の第1の態様の第6または第7の可能な実施態様を参照すると、第1の態様の第8の可能な実施態様において、フォルダのアイコンを拡張するために使用される操作を取得するステップは、
フォルダのアイコンを横方向に拡張するために使用される操作を取得するステップを含み、
空きスペースに向かってフォルダのアイコンを拡張するステップは、
フォルダのアイコンを横方向に拡張するために使用される取得された操作に応じて、フォルダのアイコンを横方向に拡張するステップを含む。
【００１３】
本発明の第1の態様の第6または第7の可能な実施態様を参照すると、第1の態様の第9の可能な実施態様において、フォルダのアイコンを拡張するために使用される操作を取得するステップは、
フォルダのアイコンを縦方向に拡張するために使用される操作を取得するステップを含み、
空きスペースに向かってフォルダのアイコンを拡張するステップは、
フォルダのアイコンを縦方向に拡張するために使用される取得された操作に応じて、フォルダのアイコンを縦方向に拡張するステップを含む。
【００１４】
本発明の第2の形態によれば、フォルダのアイコンを処理するための方法が提供され、この方法は、
フォルダのアイコンを縮小するために使用される操作を取得するステップであって、フォルダのアイコン領域のプリセット領域はフォルダ内のプリセットファイルに関する情報を表示する、ステップと、
フォルダのアイコンを縮小するために使用される取得された操作に応じて、フォルダのアイコンを縮小するためにプリセット領域を減じるステップと
を含む。
【００１５】
本発明の第2の態様を参照すると、第2の態様の第1の可能な実施態様において、フォルダのアイコンを縮小するために使用される操作を取得するステップは、
プリセット領域で実行される操作がフォルダのアイコンを縮小するために使用される場合に、プリセット領域で実行される操作を取得するステップを含む。
【００１６】
本発明の第2の態様または第2の態様の第1の可能な実施態様を参照すると、第2の態様の第2の可能な実施態様において、フォルダのアイコンを縮小するために使用される操作を取得するステップは、
フォルダのアイコンを横方向に縮小するために使用される操作を取得するステップを含み、
フォルダのアイコンを縮小するために使用される取得された操作に応じて、プリセット領域を減じるステップは、
フォルダのアイコンを横方向に縮小するために使用される取得された操作に応じて、プリセット領域を減じるステップを含む。
【００１７】
本発明の第2の態様または第2の態様の第1の可能な実施態様を参照すると、第2の態様の第3の可能な実施態様において、フォルダのアイコンを縮小するために使用される操作を取得するステップは、
フォルダのアイコンを縦方向に縮小するために使用される操作を取得するステップを含み、
フォルダのアイコンを縮小するために使用される取得された操作に応じて、プリセット領域を減じるステップは、
フォルダのアイコンを縦方向に縮小するために使用される取得された操作に応じて、プリセット領域を減じるステップを含む。
【００１８】
本発明の第2の態様または第2の態様の第1の可能な実施態様を参照すると、第2の態様の第4の可能な実施態様において、フォルダのアイコンを縮小するために使用される操作を取得するステップは、
プリセット領域からプリセット領域を除いたフォルダのアイコン領域にスライドするスライド操作を取得するステップを含み、
フォルダのアイコンを縮小するために使用される取得された操作に応じて、プリセット領域を減じるステップは、
スライド操作に応じてフォルダのアイコン領域を縮小するステップを含み、ここで、縮小されるフォルダのアイコン領域は、縮小するステップの前の、フォルダのアイコン領域からプリセット領域を減じるステップによって取得される領域である。
【００１９】
本発明の第3の態様によれば、端末が提供され、この端末は、
フォルダのアイコン領域で実行される操作を取得するように構成された取得ユニットと、
取得ユニットによって取得された操作がフォルダのアイコン領域のプリセット領域で実行されたかどうかを判定するように構成された判定ユニットであって、プリセット領域はフォルダ内のプリセットファイルに関する情報を表示する、判定ユニットと、
判定ユニットが、操作はフォルダのアイコン領域のプリセット領域で実行されたと判定した場合に、プリセットファイルを開くように構成されたオープニングユニットと
を含む。
【００２０】
本発明の第3の態様を参照すると、第3の態様の第1の可能な実施態様において、オープニングユニットは、判定ユニットが、操作はプリセット領域を除いたフォルダのアイコン領域で実行されたと判定した場合に、フォルダを開くようにさらに構成される。
【００２１】
本発明の第3の態様または第3の態様の第1の実施態様を参照すると、第3の態様の第2の可能な実施態様において、取得ユニットは、フォルダのアイコン領域で実行される操作を取得するように構成され、フォルダのアイコン領域は、複数のプリセットファイルに関する情報をそれぞれに対応して表示する複数のプリセット領域を含む。
【００２２】
本発明の第3の態様、または第3の態様の第1もしくは第2の可能な実施態様を参照すると、第3の態様の第3の可能な実施態様において、端末は、
取得ユニットがフォルダのアイコン領域で実行される操作を取得する前に、フォルダのアイコンが配置されているユーザインタフェース位置周辺の空きスペースを検出するように構成された、検出ユニットと、
検出ユニットによって検出された空きスペースが設定された閾値以上であるときに、空きスペースに向かってフォルダのアイコンを拡張するように構成された、拡張ユニットであって、拡張されるフォルダのアイコン領域はプリセット領域を含む拡張ユニットと、
拡張ユニットが空きスペースに向かってフォルダのアイコンを拡張した後に、プリセットファイルに関する情報をプリセット領域に表示するように構成された、表示ユニットと
をさらに含む。
【００２３】
本発明の第3の態様の第3の可能な実施態様を参照すると、第3の態様の第4の可能な実施態様において、検出ユニットが、取得ユニットがフォルダのアイコン領域で実行される操作を取得する前に、フォルダのアイコンが配置されているユーザインタフェース位置周辺の空きスペースを検出するように構成されることは、
取得ユニットがフォルダのアイコン領域で実行される操作を取得する前に、フォルダが配置されているユーザインタフェース位置の横方向または縦方向の両側で空きスペースを検出するように構成されることを含む。
【００２４】
本発明の第3の態様の第3もしくは第4の可能な実施態様を参照すると、第3の態様の第5の可能な実施態様において、拡張ユニットが、検出ユニットによって検出された空きスペースが設定された閾値以上であるときに、空きスペースに向かってフォルダのアイコンを拡張するように構成されることは、
プリセットファイルに関する情報がプリセット領域に表示されるために使用される場合、検出ユニットによって検出された空きスペースが設定された閾値以上であるときに、フォルダがプリセットファイルを含んでいるかどうかを判定するように、および、フォルダがプリセットファイルを含んでいると判定された場合に、空きスペースに向かってフォルダのアイコンを拡張するように構成されることを含む。
【００２５】
本発明の第3の態様の第3から第5の可能な実施態様のいずれか1つを参照すると、第3の態様の第6の可能な実施態様において、取得ユニットは、検出ユニットがフォルダのアイコンが配置されているユーザインタフェース位置周辺の空きスペースを検出する前に、フォルダのアイコンを拡張するために使用される操作を取得するようにさらに構成され、
検出ユニットが、フォルダのアイコンが配置されているユーザインタフェース位置周辺の空きスペースを検出するように構成されることは、
フォルダのアイコンを拡張するために使用され、取得ユニットによって取得された操作に応じて、フォルダのアイコンが配置されているユーザインタフェース位置周辺の空きスペースを検出するように構成されることを含む。
【００２６】
本発明の第3の態様の第6の可能な実施態様を参照すると、第3の態様の第7の可能な実施態様において、取得ユニットは、フォルダのアイコンを拡張するために使用される操作を取得するステップの前に、フォルダのアイコンが操作待ち状態に入るように、フォルダのアイコンが操作待ち状態に入るようにするために使用される操作を取得するようにさらに構成される。
【００２７】
本発明の第3の態様の第6または第7の可能な実施態様を参照すると、第3の態様の第8の可能な実施態様において、取得ユニットが、フォルダのアイコンを拡張するために使用される操作を取得するように構成されることは、
フォルダのアイコンを横方向に拡張するために使用される操作を取得するように構成されることを含み、
拡張ユニットが、空きスペースに向かってフォルダのアイコンを拡張するように構成されることは、
フォルダのアイコンを横方向に拡張するために使用される取得された操作に応じて、フォルダのアイコンを横方向に拡張するように構成されることを含む。
【００２８】
本発明の第3の態様の第6または第7の可能な実施態様を参照すると、第3の態様の第9の可能な実施態様において、取得ユニットが、
フォルダのアイコンを拡張するために使用されるトリガ操作を取得するように構成されることは、
フォルダのアイコンを縦方向に拡張するために使用される操作を取得するように構成されることを含み、
拡張ユニットが、空きスペースに向かってフォルダのアイコンを拡張するように構成されることは、
フォルダのアイコンを縦方向に拡張するために使用される取得された操作に応じて、フォルダのアイコンを縦方向に拡張するように構成されることを含む。
【００２９】
本発明の第4の形態によれば、端末が提供され、この端末は、
フォルダのアイコンを縮小するために使用される操作を取得するように構成された取得ユニットであって、フォルダのアイコン領域のプリセット領域はフォルダ内のプリセットファイルに関する情報を表示する、取得ユニットと、
フォルダのアイコンを縮小するために使用され、取得ユニットによって取得された操作に応じて、フォルダのアイコンを縮小するためにプリセット領域を減じるように構成された拡張および縮小ユニットと
を含む。
【００３０】
本発明の第4の態様を参照すると、第4の態様の第1の可能な実施態様において、取得ユニットが、フォルダのアイコンを縮小するために使用される操作を取得するように構成されることは、
プリセット領域で実行される操作がフォルダのアイコンを縮小するために使用される場合に、プリセット領域で実行される操作を取得するように構成されることを含む。
【００３１】
本発明の第4の態様または第4の態様の第1の可能な実施態様を参照すると、第4の態様の第2の可能な実施態様において、取得ユニットが、フォルダのアイコンを縮小するために使用される操作を取得するように構成されることは、
フォルダのアイコンを横方向に縮小するために使用される操作を取得するように構成されることを含み、
拡張および縮小ユニットが、フォルダのアイコンを縮小するために使用され、取得ユニットによって取得された操作に応じて、プリセット領域を減じるように構成されることは、
フォルダのアイコンを横方向に縮小するために使用され、取得ユニットによって取得された操作に応じて、プリセット領域を減じるように構成されることを含む。
【００３２】
本発明の第4の態様または第4の態様の第1の可能な実施態様を参照すると、第4の態様の第3の可能な実施態様において、取得ユニットが、フォルダのアイコンを縮小するために使用される操作を取得するように構成されることは、
フォルダのアイコンを縦方向に縮小するために使用される操作を取得するように構成されることを含み、
拡張および縮小ユニットが、フォルダのアイコンを縮小するために使用され、取得ユニットによって取得された操作に応じて、プリセット領域を減じるように構成されることは、
フォルダのアイコンを縦方向に縮小するために使用され、取得ユニットによって取得された操作に応じて、プリセット領域を減じるように構成されることを含む。
【００３３】
本発明の第4の態様または第4の態様の第1の可能な実施態様を参照すると、第4の態様の第4の可能な実施態様において、取得ユニットが、フォルダのアイコンを縮小するために使用される操作を取得するように構成されることは、
プリセット領域からプリセット領域を除いたフォルダのアイコン領域にスライドするスライド操作を取得するように構成されることを含み、
拡張および縮小ユニットが、フォルダのアイコンを縮小するために使用され、取得ユニットによって取得された操作に応じて、プリセット領域を減じるように構成されることは、
スライド操作に応じてフォルダのアイコン領域を縮小するように構成されることを含み、ここで、縮小されるフォルダのアイコン領域は、縮小するステップの前の、フォルダのアイコン領域からプリセット領域を減じるステップによって取得される領域である。
【００３４】
本発明の第5の形態によれば、端末が提供され、この端末は、フォルダのアイコン領域で実行される操作を取得するように構成された入力装置と、
フォルダ内のプリセットファイルに関する情報をプリセット領域に表示するように構成された出力装置と、
入力装置および出力装置に別々に接続されたプロセッサであって、入力装置によって取得された操作が、フォルダのアイコン領域のプリセット領域で実行されたかどうかを判定するように、および、操作がフォルダのアイコン領域のプリセット領域で実行された場合に、プリセットファイルを開くように構成されたプロセッサと
を含む。
【００３５】
本発明の第5の態様を参照すると、第5の態様の第1の可能な実施態様において、プロセッサは、操作がプリセット領域を除いたフォルダのアイコン領域で実行されると、フォルダを開くようにさらに構成される。
【００３６】
本発明の第5の態様または第5の態様の第1の実施態様を参照すると、第5の態様の第2の可能な実施態様において、入力装置は、フォルダのアイコン領域で実行される操作を取得するように構成され、フォルダのアイコン領域は、複数のプリセットファイルに関する情報をそれぞれに対応して表示する複数のプリセット領域を含む。
【００３７】
本発明の第5の態様、または第5の態様の第1もしくは第2の可能な実施態様を参照すると、第5の態様の第3の可能な実施態様において、プロセッサは、入力装置がフォルダのアイコン領域で実行される操作を取得する前に、フォルダのアイコンが配置されているユーザインタフェース位置周辺の空きスペースを検出するように、および、拡張されるフォルダのアイコン領域がプリセット領域を含む場合、検出された空きスペースが設定された閾値以上であるときに、空きスペースに向かってフォルダのアイコンを拡張するように、さらに構成される。
【００３８】
本発明の第5の態様の第3の可能な実施態様を参照すると、第5の態様の第4の可能な実施態様において、入力装置がフォルダのアイコン領域で実行される操作を取得する前に、プロセッサがフォルダのアイコンが配置されているユーザインタフェース位置周辺の空きスペースを検出することは、
入力装置がフォルダのアイコン領域で実行される操作を取得する前に、プロセッサによって、フォルダが配置されているユーザインタフェース位置の横方向または縦方向の両側で空きスペースを検出するステップを含む。
【００３９】
本発明の第5の態様の第3もしくは第4の可能な実施態様を参照すると、第5の態様の第5の可能な実施態様において、検出された空きスペースが設定された閾値以上であるときに、プロセッサが空きスペースに向かってフォルダのアイコンを拡張することは、
プリセットファイルに関する情報がプリセット領域に表示されるために使用される場合、検出された空きスペースが設定された閾値以上であるときに、フォルダがプリセットファイルを含むかどうかをプロセッサによって判定するステップと、フォルダがプリセットファイルを含んでいると判定された場合に、空きスペースに向かってフォルダのアイコンを拡張するステップとを含む。
【００４０】
本発明の第5の態様の第3から第5の可能な実施態様のいずれか1つを参照すると、第5の態様の第6の可能な実施態様において、入力装置は、プロセッサが、フォルダのアイコンが配置されているユーザインタフェース位置周辺の空きスペースを検出する前に、フォルダのアイコンを拡張するために使用される操作を取得するようにさらに構成され、
プロセッサが、フォルダのアイコンが配置されているユーザインタフェース位置周辺の空きスペースを検出することは、
入力装置がフォルダのアイコンを拡張するために使用される操作を取得すると、プロセッサによって、フォルダのアイコンが配置されているユーザインタフェース位置周辺の空きスペースを検出するステップを含む。
【００４１】
本発明の第5の態様の第6の可能な実施態様を参照すると、第5の態様の第7の可能な実施態様において、入力装置は、フォルダのアイコンを拡張するために使用される操作を取得するステップの前に、フォルダのアイコンが操作待ち状態に入るようにするために使用される操作を取得するようにさらに構成され、
プロセッサは、フォルダのアイコンが操作待ち状態に入るようにするために使用され、入力装置によって取得された操作に応じて、フォルダのアイコンを操作待ち状態に入らせるようにさらに構成される。
【００４２】
本発明の第5の態様の第6または第7の可能な実施態様を参照すると、第5の態様の第8の可能な実施態様において、入力装置が、フォルダのアイコンを拡張するために使用されるトリガ操作を取得することは、
フォルダのアイコンを横方向に拡張するために使用される操作を、入力装置によって取得するステップを含み、
プロセッサが、空きスペースに向かってフォルダのアイコンを拡張することは、
フォルダのアイコンを横方向に拡張するために使用され、入力装置によって取得された操作に応じて、プロセッサによって、フォルダのアイコンを横方向に拡張するステップを含む。
【００４３】
本発明の第5の態様の第6または第7の可能な実施態様を参照すると、第5の態様の第9の可能な実施態様において、入力装置が、フォルダのアイコンを拡張するために使用されるトリガ操作を取得することは、
フォルダのアイコンを縦方向に拡張するために使用される操作を、入力装置によって取得するステップを含み、
プロセッサが、空きスペースに向かってフォルダのアイコンを拡張することは、
フォルダのアイコンを縦方向に拡張するために使用され、入力装置によって取得された操作に応じて、プロセッサによって、フォルダのアイコンを縦方向に拡張するステップを含む。
【００４４】
本発明の第6の形態によれば、端末が提供され、この端末は、
フォルダのアイコンを縮小するために使用される操作を取得するように構成された入力装置と、
フォルダ内のプリセットファイルに関する情報をフォルダのアイコン領域のプリセット領域に表示するように構成された出力装置と、
フォルダのアイコンを縮小するために使用され、入力装置によって取得された操作に応じて、フォルダのアイコンを縮小するためにプリセット領域を減じるように構成されたプロセッサと
を含む。
【００４５】
本発明の第6の態様を参照すると、第6の態様の第1の可能な実施態様において、入力装置が、フォルダのアイコンを縮小するために使用される操作を取得することは、
プリセット領域で実行される操作がフォルダのアイコンを縮小するために使用される場合に、入力装置によって、プリセット領域で実行される操作を取得するステップを含む。
【００４６】
本発明の第6の態様または第6の態様の第1の可能な実施態様を参照すると、第6の態様の第2の可能な実施態様において、入力装置が、フォルダのアイコンを縮小するために使用される操作を取得することは、
入力装置によって、フォルダのアイコンを横方向に縮小するために使用される操作を取得するステップを含み、
プロセッサが、フォルダのアイコンを縮小するために使用され、入力装置によって取得された操作に応じて、プリセット領域を減じることは、
フォルダのアイコンを横方向に縮小するために使用され、入力装置によって取得された操作に応じて、プロセッサによって、プリセット領域を減じるステップを含む。
【００４７】
本発明の第6の態様または第6の態様の第1の可能な実施態様を参照すると、第6の態様の第3の可能な実施態様において、入力装置が、フォルダのアイコンを縮小するために使用される操作を取得することは、
入力装置によって、フォルダのアイコンを縦方向に縮小するために使用される操作を取得するステップを含み、
プロセッサが、フォルダのアイコンを縮小するために使用され、入力装置によって取得された操作に応じて、プリセット領域を減じることは、
フォルダのアイコンを縦方向に縮小するために使用され、入力装置によって取得された操作に応じて、プロセッサによって、プリセット領域を減じるステップを含む。
【００４８】
本発明の第6の態様または第6の態様の第1の可能な実施態様を参照すると、第6の態様の第4の可能な実施態様において、入力装置が、フォルダのアイコンを縮小するために使用される操作を取得することは、
プリセット領域からプリセット領域を除いたフォルダのアイコン領域にスライドするスライド操作を、入力装置によって取得するステップを含み、
プロセッサが、フォルダのアイコンを縮小するために使用され、入力装置によって取得された操作に応じて、プリセット領域を減じることは、
入力装置によって取得されたスライド操作に応じてフォルダのアイコン領域を、プロセッサによって縮小するステップを含み、ここで、縮小されるフォルダのアイコン領域は、縮小するステップの前の、フォルダのアイコン領域からプリセット領域を減じるステップによって取得される領域である。
【００４９】
本発明の実施形態では、フォルダ内のファイルのアイコンは、フォルダのアイコンに表示される。フォルダが開かれていないとき、ファイルを開くトリガ操作を直接実施するために、ユーザは、フォルダのアイコンから開かれる必要のないファイルのアイコンを直接見ることができ、これは、簡単かつ便利である。
【図面の簡単な説明】
【００５０】
【図１】本発明の実施形態に係るフォルダ内のファイルを開くための方法の概略フロー図である。
【図２】本発明の実施形態に係るフォルダ内のファイルを開くための別の方法の概略フロー図である。
【図３】ユーザインタフェースの概略図である。
【図４】操作の概略図である。
【図５】操作の概略図である。
【図６】操作の概略図である。
【図７】操作の概略図である。
【図８】本発明の実施形態に係るフォルダのアイコンを処理するための方法の概略フロー図である。
【図９】操作の概略図である。
【図１０】操作の概略図である。
【図１１】操作の概略図である。
【図１２】端末の概略構成図である。
【図１３】別の端末の概略構成図である。
【図１４】さらに別の端末の概略構成図である。
【図１５】さらに別の端末の概略構成図である。
【発明を実施するための形態】
【００５１】
実施形態は、本発明を詳細に説明するため、以下に記載されている。
【００５２】
図1に示すように、本発明の実施形態は、フォルダ内のファイルを開くための方法を提供し、本方法は以下のステップを含む、
【００５３】
101．フォルダのアイコン領域で実行される操作を取得する。
【００５４】
操作は、ユーザがマウスをクリックすることであってもよいし、タッチスクリーンをタップすることであってもよいし、または非接触操作もしくはエアジェスチャ操作であってもよく、ここで、操作が実行される領域は、フォルダのアイコン領域である。
【００５５】
102．プリセット領域が、フォルダ内のプリセットファイルに関する情報を表示する場合に、操作が、フォルダのアイコン領域のプリセット領域で実行されたかどうかを判定する。
【００５６】
プリセットファイルに関する情報は、プリセットファイルのアイコンであってもよい。プリセットファイルは、フォルダ内のすべてのまたは一部のファイルであってもよい。例えば、フォルダ内に比較的少量のファイルが存在する場合、例えば、フォルダ内に1つまたは2つのファイルが存在する場合に、フォルダ内のすべてのファイルは、フォルダのアイコンに表示され得る。あるいは、フォルダ内に比較的大量のファイルが存在する場合、フォルダ内の一部のファイルは、フォルダのアイコンに表示され得る。このステップでは、端末装置は、予め設定された条件に応じて、フォルダ内にありかつ予め設定された条件を満たしているファイルのアイコンを自動で選択することができ、およびフォルダのアイコンにファイルのアイコンを表示することができる。例えば、プリセットファイルは、フォルダ内の最も頻繁に使用されるファイルまたは最近使用したファイルであってもよい。また、プリセットファイルを、ユーザが手動で設定することができ、すなわち、ユーザが選択したフォルダ内のファイルが、プリセットファイルとして使用される。例えば、ユーザは、フォルダのアイコンに好みのファイルのアイコンを表示するために、フォルダ内のファイルから好きなファイルを選択して、手動設定を行うことができる。確かに、ユーザは、必要に応じてファイルを選択して、フォルダのアイコンに選択したファイルのアイコンを表示することが可能である。ファイルは、ここで、アプリケーションを含んでいる。
【００５７】
ステップ102での判定の結果、操作はフォルダのアイコン領域のプリセット領域で実行されたと判定された場合、ステップ103が実行される。
【００５８】
103．プリセットファイルを開く。
【００５９】
フォルダが開かれていないとき、ユーザは、フォルダのアイコンからフォルダ内のプリセットファイルのアイコンを見ることができ、開かれる必要があるファイルがプリセットファイルである場合、ユーザは、ファイルを開くトリガ操作を直接実施することができる。例えば、ユーザが、開かれる必要があるアプリケーションのアイコンがフォルダのアイコンに表示されていることを見ると、ユーザは、アプリケーションを直接開くために、アプリケーションの表示されたアイコンをクリックすることができる。
【００６０】
実際のアプリケーションでは、ユーザの習慣に応じてフォルダをクリックしてファイルを開くことができる。フォルダの使用に影響を与えないようにするには、以下の技術的解決策を、本発明のこの実施形態で使用することができる、取得された操作がプリセット領域を除いたフォルダのアイコン領域で実行された場合、フォルダが開かれる。プリセット領域を除いたフォルダのアイコン領域を、フォルダ内のファイルのサムネイルアイコンを表示するために使用することができる。例えば、フォルダのアイコンを2つの領域に分割することができ、一方の領域は、フォルダ内のプリセットファイルのアイコンを表示するために使用され、この領域で実行された操作でファイルを直接開くことができ、他方の領域を、フォルダ内のファイルのサムネイルアイコンを表示するために使用することができ、この他方の領域で実行された操作でフォルダを開くことができる。2つの異なる領域を識別しやすくするため、およびユーザがプリセットファイルのアイコンを識別しやすくするために、プリセットファイルの、フォルダのアイコン領域に表示されるアイコンは、表示されたサムネイルアイコンより大きくなければならない。
【００６１】
具体的には、端末はフォルダのアイコンにフォルダ内のいくつかのファイルのアイコンを表示し、いくつかのファイルは第1のファイルを含む。すなわち、第1のファイルのアイコンは、フォルダのアイコンに表示される。端末装置は、第1のファイルを開くために使用され、第1の領域で発生する、トリガ操作を取得し、ここで、第1の領域は、フォルダのアイコンに第1のファイルのアイコンを表示するための領域であり、第1のファイルを開くために使用されるトリガ操作を取得した後に、第1のファイルを開く。したがって、ユーザは、第1のファイルの、フォルダのアイコンに表示されたアイコンを直接クリックするだけで、第1のファイルを直接開くことができる。上記の他方の領域を、フォルダ内のファイルのサムネイルを表示するため、または表示しないために使用することができ、ファイルのサムネイルを表示する例は、説明するために本明細書中で使用される。具体的には、フォルダ内の他のファイルのサムネイルは、フォルダのアイコンに表示され、フォルダを開くために使用され、第2の領域で発生するトリガ操作が取得され、第2の領域は、フォルダのアイコンに他のファイルのサムネイルを表示するための領域、すなわち、サムネイル表示領域であり、フォルダを開くために使用されるトリガ操作が取得された後に、フォルダが開かれる。
【００６２】
フォルダのアイコンが、ファイルのアイコンを明確に表示するための十分な領域を有することを可能にするために、フォルダの、正常な状態でのアイコンは、フォルダのアイコンのサイズを大きくするために拡張される必要がある。したがって、本発明のこの実施形態は、フォルダのアイコンを拡張する技術的解決策をさらに含み得る。具体的には、フォルダのアイコン領域で実行された操作が取得される前に、端末は、フォルダのアイコンを拡張するために使用される操作を取得し、フォルダのアイコンを拡張するために使用された操作に応じて、フォルダのアイコンが配置されているユーザインタフェース位置周辺の空きスペースを検出することができる。端末は、フォルダのアイコンが配置されているユーザインタフェース位置周辺の空きスペースを自動で検出することができ、検出された空きスペースが設定された閾値以上であるとき、フォルダのアイコンは空きスペースに向かって拡張される。フォルダの拡張されたアイコン領域は、プリセット領域を含んでいる。閾値を、予め設定された最小の拡張可能なスペースとすることができる。フォルダのアイコンが空きスペースに向かって拡張された後、プリセットファイルに関する情報は、プリセット領域に表示される。フォルダのアイコンを拡張するために使用された操作に応じて、フォルダのアイコンが配置されているユーザインタフェース位置周辺の空きスペースを検出するステップは、フォルダが配置されているユーザインタフェース位置の横方向または縦方向の両側で空きスペースを検出するステップを特に含むことができる。なお、本明細書では、複数のプリセット領域をフォルダのアイコン領域に設定することができ、複数のプリセット領域は、複数のプリセットファイルに関する情報をそれぞれに対応して表示できることに留意する必要がある。特に、フォルダのアイコン領域を拡張するために使用され、フォルダのアイコンの周りにあり得る十分な空きスペースがあることが検出されると、複数のプリセット領域を、必要に応じて設定することができる。
【００６３】
以下は、特定のアプリケーションシナリオを参照して本発明をさらに説明している。
【００６４】
図2に示すように、図2は、フォルダ内のファイルを開くための方法のフロー図を示しており、この方法の処理は以下を含む、
【００６５】
201．端末装置が、フォルダのアイコンに実行されたトリガ操作が存在するかどうかを監視する。
【００６６】
トリガ操作は、設定されたタッチアンドホールド操作または別のジェスチャ操作であってもよい。例えば、ユーザは、端末のユーザインタフェース上で、フォルダのアイコンをドラッグする。フォルダのアイコンに実行されたトリガ操作がない場合、ステップ202が実行され、フォルダのアイコンに実行されたトリガ操作がある場合、ステップ208が実行される。
【００６７】
202．フォルダのアイコンが配置されているユーザインタフェース位置周辺の空きスペースが、設定された閾値以上であるかどうかを検出する。
【００６８】
つまり、フォルダのアイコンを拡張するために使用される、フォルダのアイコンの位置周辺の十分な空きスペースがあるかどうかが検出される。検出された空きスペースが閾値以上である場合、ステップ203が実行され、または、検出された空きスペースが閾値未満である場合、ステップ206が実行される。
【００６９】
203．プリセットファイルに関する情報がプリセット領域に表示されるために使用される場合に、フォルダがプリセットファイルを含んでいるかどうかを判定する。
【００７０】
フォルダがプリセットファイルを含んでいると判定された場合、ステップ204が実行され、または、フォルダがプリセットファイルを含んでいないと判定された場合、処理が終了する。このステップでのプリセットファイルについては、実施形態1のステップ102でのプリセットファイルに関する説明を参照し、その詳細は、ここで再度説明されない。
【００７１】
204．空きスペースに向かってフォルダのアイコンを拡張する。
【００７２】
端末装置は、検出された空きスペースの大きさに応じてフォルダのアイコンを拡張することができ、または予め設定された拡張スペースの大きさに応じてフォルダのアイコンを拡張することができる。
【００７３】
205．フォルダのアイコンの拡張領域にプリセットファイルのアイコンを表示する。つまり、フォルダの拡張されたアイコンの拡張領域は、プリセットファイルのアイコンを表示するためにプリセット領域として使用される。
【００７４】
206．フォルダのアイコンが拡張された状態にあるかどうかを判定する。
【００７５】
フォルダのアイコンが拡張された状態にあると判定された場合、ステップ207が実行される。フォルダのアイコンが拡張された状態にないと判定された場合、処理が終了する。
【００７６】
207．拡張前の状態にフォルダのアイコンを縮小する。
【００７７】
つまり、フォルダのアイコンは、正常な状態に、すなわち、ユーザインタフェース上の通常のフォルダと同じ大きさに復元される。
【００７８】
上記ステップ202から204は、端末装置が空きスペースを自動で検出して、フォルダのアイコンを拡張する処理である。以下のステップ208から211は、ユーザがフォルダのアイコンを手動で拡張する処理である。
【００７９】
ステップ208、フォルダのアイコンが操作待ち状態に入ることを、ユーザに知らせる。
【００８０】
操作待ち状態は、フォルダのアイコンが拡張または縮小操作の準備ができている状態である。フォルダのアイコンが、操作待ち状態に入ると、拡張または縮小操作を、フォルダのアイコンに実行することができる。拡張操作がフォルダのアイコンに実行されると、フォルダのアイコンが拡張される。縮小操作がフォルダのアイコンに実行されると、フォルダのアイコンが小さくなり、そしてフォルダの、通常の状態のアイコンの大きさに小さくなり得る。
【００８１】
209．操作待ち状態で、フォルダのアイコンを拡張するために使用されるトリガ操作が取得されたかどうかを判定する。
【００８２】
例えば、フォルダのアイコンが操作待ち状態にあるとき、端末装置は、フォルダのアイコンを拡張するために使用されるトリガ操作を取得し、フォルダのアイコンを拡張するために使用されるトリガ操作が取得されると、ステップ210aを実行する。例えば、フォルダのアイコンを横方向に拡張するために使用される操作が取得され、フォルダのアイコンは、フォルダのアイコンを横方向に拡張するために使用される取得された操作に応じて横方向に拡張される。あるいは、フォルダのアイコンを縦方向に拡張するために使用される操作が取得され、フォルダのアイコンは、フォルダのアイコンを縦方向に拡張するために使用される取得された操作に応じて縦方向に拡張される。つまり、ユーザは、フォルダのアイコンを拡張するために、端末装置のユーザインタフェース上で、フォルダのアイコンを直接手動で拡張することができる。確かに、フォルダのアイコンを拡張するために使用されるトリガ操作が取得されない場合には、ステップ210bが実行される。
【００８３】
210a．フォルダがプリセットファイルを含んでいるかどうかを判定する。
【００８４】
フォルダがプリセットファイルを含んでいる場合、ステップ211が実行され、または、フォルダがプリセットファイルを含んでいない場合、ステップ210bが実行される。このステップ210aでのプリセットファイルについては、実施形態1のステップ102でのプリセットファイルに関する説明を参照し、その詳細は、ここで再度説明されない。
【００８５】
210b．フォルダのアイコンを操作待ち状態から正常な状態に復元する。
【００８６】
211．フォルダのアイコンを拡張するために使用される取得したトリガ操作に応じて空きスペースに向かってフォルダのアイコンを拡張する。ステップ205は、ステップ211の後に実行される。
【００８７】
このように、本発明の方法によれば、端末は、ユーザインタフェース上で空きスペースを自動で特定し、フォルダのアイコンを拡張することができ、または、フォルダのアイコンを、フォルダが操作待ち状態にあるときに直接手動で拡張することができ、このため、フォルダ内のファイルのアイコンは、フォルダの拡張されたアイコンに明確に表示される。
【００８８】
ステップ205が実行された後、本方法は、以下をさらに含む、
【００８９】
212．フォルダのアイコン領域で実行された操作を取得する。
【００９０】
213．プリセット領域がフォルダ内のプリセットファイルに関する情報を表示する場合に、操作が、フォルダのアイコン領域のプリセット領域で実行されたかどうかを判定する。
【００９１】
操作がフォルダのアイコン領域のプリセット領域で実行された場合、ステップ214が実行される。
【００９２】
操作がフォルダのアイコン領域のプリセット領域で実行されなかった場合、処理が終了する。
【００９３】
214．プリセットファイルを開く。
【００９４】
ステップ212から214は、実施形態1におけるステップ101から103と同様であり、詳細はここでは再度説明されない。
【００９５】
以下は、特定のアプリケーションの図を参照して本発明を説明している。
【００９６】
図3に示すように、アプリケーションAのアイコン、アプリケーションBのアイコン、アプリケーションCのアイコン、アプリケーションDのアイコン、フォルダ1のアイコン、およびフォルダ2のアイコンは、端末のユーザインタフェース上に表示される。フォルダ1のアイコンは、2つの部分の領域に分割される。一方の領域は、サムネイル表示領域であり、サムネイル表示領域は、アプリケーションAのサムネイル、アプリケーションBのサムネイル、アプリケーションCのサムネイル、アプリケーションDのサムネイル、アプリケーションIのサムネイル、アプリケーションFのサムネイル、アプリケーションGのサムネイル、およびアプリケーションHのサムネイルを表示する。他方の領域は、アプリケーションEのアイコンを表示する。図3では、フォルダ1のアイコン領域に表示されるアプリケーションEのアイコンの大きさが、これらのアプリケーションのサムネイルから区別されるように、アプリケーションA、B、C、D、I、F、G、およびHのサムネイルよりも大きく、このため、ユーザは、フォルダ1のアイコンからアプリケーションEのアイコンを見る。フォルダ1のアイコン領域に表示されるアプリケーションEのアイコンもまたサムネイルとすることができ、このサムネイルの大きさは、アプリケーションA、B、C、D、I、F、G、およびHのサムネイルよりも大きく、これにより、これらのアプリケーションのサムネイルから区別することもでき、ユーザが見ることを容易にする目的が達成され得る。
【００９７】
図4に示すように、ユーザは、サムネイル表示領域を直接クリックすることで、フォルダ1を開くことができる。ユーザは、アプリケーションEのアイコンを直接クリックすることで、アプリケーションのEを直接開くことができる。フォルダ2はまた、2つの部分の領域を含んでいる。一方の領域はまた、サムネイル表示領域であり、サムネイル表示領域は、アプリケーションKのサムネイル、アプリケーションRのサムネイル、アプリケーションXのサムネイル、アプリケーションGのサムネイル、アプリケーションQのサムネイル、アプリケーションLのサムネイル、アプリケーションPのサムネイル、およびアプリケーションIのサムネイルを表示する。他方の領域は、アプリケーションMのアイコンを表示する。ユーザは、サムネイル表示領域を直接クリックすることで、フォルダ2を開くことができる。ユーザは、アプリケーションMのアイコンを直接クリックすることで、アプリケーションのMを直接開くことができる。なお、図4では、フォルダ2のアイコン領域に表示されるアプリケーションMのアイコンの大きさが、これらのアプリケーションのサムネイルから区別されるように、アプリケーションK、R、X、G、Q、L、P、およびIのサムネイルよりも大きく、このため、ユーザは、フォルダ1のアイコンからアプリケーションEのアイコンを見ることに留意されたい。フォルダ2のアイコン領域に表示されるアプリケーションMのアイコンもまたサムネイルであり、サムネイルの大きさは、アプリケーションK、R、X、G、Q、L、P、およびIのサムネイルよりも大きく、これにより、これらのアプリケーションのサムネイルから区別することもでき、ユーザが見ることを容易にする。
【００９８】
図5に示すように、図5は、フォルダのアイコンを横方向に自動で拡張する図を示しており、これは、本発明に限定されるものではない。横方向には、フォルダ1のアイコンおよびフォルダ2のアイコンの左右に空きスペースがない。本発明の方法を使用するプロセスにおいて、ユーザは、フォルダ2のアイコンをドラッグして、フォルダ2のアイコンを空きスペースがある周辺位置に下方に動かすことができ、このため、フォルダ2のアイコンは拡張される。フォルダ2のアイコンがドラッグされるので、空きスペースは、フォルダ1のアイコンの右側にも生成され、このため、フォルダ1のアイコンも拡張される。図5から分かるように、アプリケーションEのアイコンは、フォルダ1の拡張されたアイコンに表示され、アプリケーションMのアイコンは、フォルダ2の拡張されたアイコンに表示される。フォルダ2のアイコンを再度拡張するように、フォルダ2のアイコンを、より多くの空きスペースがある周辺の位置に再度ドラッグすることができ、このため、アプリケーションのQのアイコンはまた、フォルダ2のアイコンに表示される。確かに、フォルダ2のアイコンをドラッグする前に、フォルダ2のアイコンに表示される必要があるアプリケーションのアイコンを、優先順位付けすることができる。フォルダ2の拡張されたアイコンに十分なスペースがある場合には、アプリケーションのアイコンは、優先順位に従ってフォルダ2のアイコンに表示される。本明細書において、アプリケーションMのアイコンの優先度は、アプリケーションQのアイコンよりも高い。
【００９９】
図6に示すように、図6は、フォルダのアイコンを、横方向に手動で拡張する図を示している。ユーザインタフェース上のフォルダ2のアイコンは、空きスペースに向かって横方向にドラッグされる。フォルダのアイコンの拡張スペースが、1つのアプリケーションのアイコンを収容することができると、最も優先度の高いアプリケーションMが、拡張スペースに表示される。フォルダ2のアイコンは、さらに横方向にドラッグされ続ける。端末は、ユーザインタフェース上のアプリケーションDをユーザインタフェース上の別の位置に移動し、フォルダ2のアイコンはさらに拡張され、ここで、さらに拡張することによって増加したスペースは、アプリケーションのアイコンをもう1つ収容することができ、次に、アプリケーションLのアイコンが、さらに拡張することによって増加したスペースに表示され、ここで、アプリケーションLのアイコンの優先度は、アプリケーションMのアイコンよりも低い。
【０１００】
図7に示すように、図7は、フォルダのアイコンに表示されるアプリケーションのアイコンを手動で設定する処理を示している。フォルダ1を開くために、フォルダ1のアイコンのサムネイル領域が、クリックされる。フォルダ1のアプリケーションIのアイコンは、フォルダ1のフォルダタイトルの位置にドラッグされ、次に、アプリケーションIのアイコンは、フォルダ1のアイコンに表示される。同様に、フォルダ1のアプリケーションEのアイコンは、フォルダ1のフォルダタイトルの位置にドラッグされ、次に、アプリケーションEのアイコンは、フォルダ1のアイコンに表示される。
【０１０１】
図8に示すように、本発明の実施形態は、フォルダのアイコンを処理するための方法をさらに提供し、本方法は以下のステップを含む。301．フォルダのアイコン領域におけるプリセット領域が、フォルダ内のプリセットファイルに関する情報を表示する場合に、フォルダのアイコンを縮小するために使用される操作を取得する。
【０１０２】
302．フォルダのアイコンを縮小するために使用される取得された操作に応じて、フォルダのアイコンを縮小するためにプリセット領域を減じる。
【０１０３】
ステップ301は、
プリセット領域で実行される操作を取得するステップを含むことができ、プリセット領域で実行される操作は、フォルダのアイコンを縮小するために使用される。
【０１０４】
ユーザが、フォルダのアイコンに縮小操作を実行するために別のジェスチャを使用できるように、本発明のこの実施形態は、以下の技術的解決策を使用することもできる。
【０１０５】
例えば、端末は、フォルダのアイコンを横方向に縮小するために使用される操作を取得し、フォルダのアイコンを横方向に縮小するために使用される取得された操作に応じて、プリセット領域を減じて、フォルダのアイコンを小さくし、ここで、プリセット領域はフォルダのアイコン上にあり、プリセットファイルのアイコンを横方向に表示する領域である。
【０１０６】
別の例では、端末は、フォルダのアイコンを縦方向に縮小するために使用される操作を取得し、フォルダのアイコンを縦方向に縮小するために使用される取得された操作に応じて、プリセット領域を減じ、ここで、プリセット領域はフォルダのアイコン上にあり、ファイルのアイコンを縦方向に表示する領域である。
【０１０７】
さらに別の例では、プリセット領域からプリセット領域を除いたフォルダのアイコン領域にスライドするスライド操作が取得され、フォルダのアイコン領域はスライド操作に応じて低減され、ここで、低減されたフォルダのアイコン領域は、フォルダの低減される前のアイコン領域からプリセット領域を減じることによって取得される。具体的には、第1の領域から第2の領域にスライドする操作が取得され、ここで、第1の領域は、フォルダのアイコン上にあり、フォルダ内のプリセットファイルのアイコンを表示する領域、すなわちプリセット領域であり、第2の領域は、フォルダのアイコン上にあり、フォルダ内のファイルのサムネイルを表示するために使用される領域であり、フォルダのアイコン上のプリセット領域は、第1の領域から第2の領域にスライドする操作に応じて減じられる。
【０１０８】
フォルダのアイコンを縮小するために使用され、ステップ301で取得された操作がドラッグ操作である場合、ドラッグする対象位置周辺の空きスペースが閾値未満であるかどうかが検出され、空きスペースが予め設定された閾値未満である場合、フォルダのアイコンが縮小される。図9に示すように、フォルダ2の拡張されたアイコンは、アプリケーションBとアプリケーションCとの間の空きスペースにドラッグされる。空きスペースが、フォルダ2の、拡張される前のアイコンのみを収容することができるので、端末が、空きスペースはフォルダ2の拡張されたアイコンを収容できないことを検出した場合、フォルダ2のアイコンは、フォルダ2の、拡張される前のアイコンのサイズに縮小される。
【０１０９】
図10に示すように、ユーザは、手動操作を使用して、フォルダの拡張されたアイコンを復元することができる。例えば、アプリケーションLのアイコンとアプリケーションMのアイコンは、フォルダ2のアイコンに表示される。フォルダ2のアイコンが操作待ち状態にあるように、フォルダ2のアイコンをタッチアンドホールドする方法が使用され、その後、アプリケーションLのアイコンがフォルダ2のアイコンから消えて、フォルダ2のアイコンが小さくなるように、ドラッグ操作が、アプリケーションLのアイコンの位置からフォルダ2のアイコンのサムネイル表示領域にドラッグするために使用される。同様に、フォルダ2のアイコンをさらに縮小するために、アプリケーションMのアイコンもまた消えるように、アプリケーションMのアイコンを、フォルダ2のアイコンのサムネイル表示領域にドラッグすることもできる。図11に示すように、プリケーションLのアイコンが、フォルダ2のアイコンから消えて、フォルダのアイコンが小さくなるように、アプリケーションLのアイコンは、フォルダのアイコンの操作待ち状態を設定せずに、フォルダのアイコンのサムネイル表示領域に直接ドラッグされる。
【０１１０】
図12に示すように、本発明の実施形態は端末401を提供し、この端末401は、
フォルダのアイコン領域で実行される操作を取得するように構成された取得ユニット402と、
取得ユニット402によって取得された操作がフォルダのアイコン領域のプリセット領域で実行されたかどうかを判定するように構成された判定ユニット403であって、プリセット領域はフォルダ内のプリセットファイルに関する情報を表示する、判定ユニット403と、
判定ユニット403が、操作はフォルダのアイコン領域のプリセット領域で実行されたと判定した場合に、プリセットファイルを開くように構成されたオープニングユニット404と
を含んでいる。
【０１１１】
図13に示すように、本発明の実施形態は端末501をさらに提供し、この端末501は、
フォルダのアイコン領域で実行される操作を取得するように構成された取得ユニット502と、
取得ユニット502によって取得された操作がフォルダのアイコン領域のプリセット領域で実行されたかどうかを判定するように構成された判定ユニット503であって、プリセット領域はフォルダ内のプリセットファイルに関する情報を表示する、判定ユニット503と、
判定ユニット503が、操作はフォルダのアイコン領域のプリセット領域で実行されたと判定した場合に、プリセットファイルを開くように構成されたオープニングユニット504と
を含んでいる。
【０１１２】
オープニングユニット504は、判定ユニット503が、操作はプリセット領域を除いたフォルダのアイコン領域で実行されたと判定した場合に、フォルダを開くようにさらに構成されている。
【０１１３】
好ましくは、取得ユニット502は、フォルダのアイコン領域で実行された操作を取得するように構成され、フォルダのアイコン領域は、複数のプリセットファイルに関する情報をそれぞれに対応して表示する複数のプリセット領域を含む。
【０１１４】
好ましくは、端末501は、検出ユニット505、拡張ユニット506、および表示ユニット507をさらに含む。
【０１１５】
検出ユニット505は、取得ユニット502がフォルダのアイコン領域で実行された操作を取得する前に、フォルダのアイコンが配置されているユーザインタフェース位置周辺の空きスペースを検出するように構成されている。
【０１１６】
拡張ユニット506は、検出ユニット505によって検出された空きスペースが設定された閾値以上であるときに、空きスペースに向かってフォルダのアイコンを拡張するように構成され、ここで、フォルダの拡張されたアイコン領域はプリセット領域を含んでいる。
【０１１７】
表示ユニット507は、拡張ユニット506が空きスペースに向かってフォルダのアイコンを拡張した後に、プリセットファイルに関する情報をプリセット領域に表示するように構成されている。
【０１１８】
好ましくは、検出ユニット505は、取得ユニット502がフォルダのアイコン領域で実行された操作を取得する前に、フォルダが配置されているユーザインタフェース位置の横方向または縦方向の両側で空きスペースを検出するようにさらに構成されている。
【０１１９】
好ましくは、拡張ユニット506は、プリセットファイルに関する情報が、プリセット領域に表示されるために使用される場合、検出ユニット505によって検出された空きスペースが設定された閾値以上であるときに、フォルダがプリセットファイルを含んでいるかどうかを判定するように、および、フォルダがプリセットファイルを含んでいると判定された場合に、空きスペースに向かってフォルダのアイコンを拡張するように、さらに構成されている。
【０１２０】
好ましくは、取得ユニット502は、検出ユニット505がフォルダのアイコンが配置されているユーザインタフェース位置周辺の空きスペースを検出する前に、フォルダのアイコンを拡張するために使用される操作を取得するようにさらに構成されている。
【０１２１】
検出ユニット505が、フォルダのアイコンが配置されているユーザインタフェース位置周辺の空きスペースを検出するように構成されることは、
フォルダのアイコンを拡張するために使用され、取得ユニット502によって取得された操作に応じて、フォルダのアイコンが配置されているユーザインタフェース位置周辺の空きスペースを検出するように構成されることを含む。
【０１２２】
好ましくは、取得ユニット503は、フォルダのアイコンを拡張するために使用される操作を取得するステップの前に、フォルダのアイコンが操作待ち状態に入るように、フォルダのアイコンが操作待ち状態に入るようにするために使用される操作を取得するようにさらに構成されている。
【０１２３】
好ましくは、取得ユニット502がフォルダのアイコンを拡張するために使用される操作を取得するように構成されることは、
フォルダのアイコンを横方向に拡張するために使用される操作を取得するように構成されることを含む。
【０１２４】
拡張ユニット506が空きスペースに向かってフォルダのアイコンを拡張するように構成されることは、
フォルダのアイコンを横方向に拡張するために使用され、取得ユニット502によって取得された操作に応じて、フォルダのアイコンを横方向に拡張するように構成されることを含む。
【０１２５】
好ましくは、取得ユニット502がフォルダのアイコンを拡張するために使用される操作を取得するように構成されることは、
フォルダのアイコンを縦方向に拡張するために使用される操作を取得するように構成されることを含む。
【０１２６】
拡張ユニット506が空きスペースに向かってフォルダのアイコンを拡張するように構成されることは、
フォルダのアイコンを縦方向に拡張するために使用され、取得ユニット502によって取得された操作に応じて、フォルダのアイコンを縦方向に拡張するように構成されることを含む。
【０１２７】
図14に示すように、本発明の実施形態は、端末601をさらに提供し、この端末601は、
フォルダのアイコンを縮小するために使用される操作を取得するように構成された取得ユニット602であって、フォルダのアイコン領域のプリセット領域はフォルダ内のプリセットファイルに関する情報を表示する、取得ユニット602と、
フォルダのアイコンを縮小するために使用され、取得ユニット602によって取得された操作に応じて、フォルダのアイコンを縮小するためにプリセット領域を減じるように構成された拡張および縮小ユニット603と
を含んでいる。
【０１２８】
好ましくは、取得ユニット602がフォルダのアイコンを縮小するために使用される操作を取得するように構成されることは、
プリセット領域で実行される操作を取得するように構成されることを含み、ここで、プリセット領域で実行される操作は、フォルダのアイコンを縮小するために使用される。
【０１２９】
好ましくは、取得ユニット602がフォルダのアイコンを縮小するために使用される操作を取得するように構成されることは、
フォルダのアイコンを横方向に縮小するために使用される操作を取得するように構成されることを含む。
【０１３０】
拡張および縮小ユニット603が、フォルダのアイコンを縮小するために使用され、取得ユニットによって取得された操作に応じて、プリセット領域を減じるように構成されることは、
フォルダのアイコンを横方向に縮小するために使用され、取得ユニット602によって取得された操作に応じて、プリセット領域を減じるように構成されることを含む。好ましくは、取得ユニット602がフォルダのアイコンを縮小するために使用される操作を取得するように構成されることは、
フォルダのアイコンを縦方向に縮小するために使用される操作を取得するように構成されることを含む。
【０１３１】
拡張および縮小ユニット603が、フォルダのアイコンを縮小するために使用され、取得ユニットによって取得された操作に応じて、プリセット領域を減じるように構成されることは、フォルダのアイコンを縦方向に縮小するために使用され、取得ユニット602によって取得された操作に応じて、プリセット領域を減じるように構成されることを含む。好ましくは、取得ユニット602がフォルダのアイコンを縮小するために使用される操作を取得するように構成されることは、
プリセット領域からプリセット領域を除いたフォルダのアイコン領域にスライドするスライド操作を取得するように構成されることを含む。
【０１３２】
拡張および縮小ユニット603が、フォルダのアイコンを縮小するために使用され、取得ユニットによって取得された操作に応じて、プリセット領域を減じるように構成されることは、
スライド操作に応じてフォルダのアイコン領域を縮小するように構成されることを含み、ここで、縮小されるフォルダのアイコン領域は、縮小するステップの前の、フォルダのアイコン領域からプリセット領域を減じるステップによって取得される領域である。図15に示すように、本発明の実施形態は端末701をさらに提供し、この端末701は、
フォルダのアイコン領域で実行される操作を取得するように構成された入力装置702と、
フォルダ内のプリセットファイルに関する情報をプリセット領域に表示するように構成された出力装置703と、
入力装置702および出力装置703に別々に接続されたプロセッサ704であって、入力装置702によって取得された操作が、フォルダのアイコン領域のプリセット領域で実行されたかどうかを判定するように、および、操作がフォルダのアイコン領域のプリセット領域で実行された場合に、プリセットファイルを開くように構成されたプロセッサ704と
を含む。
【０１３３】
好ましくは、プロセッサ704は、操作がプリセット領域を除いたフォルダのアイコン領域で実行されると、フォルダを開くようにさらに構成されている。
【０１３４】
好ましくは、入力装置702は、フォルダのアイコン領域で実行された操作を取得するように構成され、フォルダのアイコン領域は、複数のプリセットファイルに関する情報をそれぞれに対応して表示する複数のプリセット領域を含む。
【０１３５】
好ましくは、プロセッサ704は、入力装置702がフォルダのアイコン領域で実行された操作を取得する前に、フォルダのアイコンが配置されているユーザインタフェース位置周辺の空きスペースを検出するように、および、拡張されるフォルダのアイコン領域がプリセット領域を含む場合、検出された空きスペースが設定された閾値以上であるときに、空きスペースに向かってフォルダのアイコンを拡張するように、さらに構成されている。
【０１３６】
好ましくは、入力装置702がフォルダのアイコン領域で実行される操作を取得する前に、プロセッサ704がフォルダのアイコンが配置されているユーザインタフェース位置周辺の空きスペースを検出することは、
入力装置702がフォルダのアイコン領域で実行される操作を取得する前に、プロセッサ704によって、フォルダが配置されているユーザインタフェース位置の横方向または縦方向の両側で空きスペースを検出するステップを含む。
【０１３７】
好ましくは、検出された空きスペースが設定された閾値以上であるときに、プロセッサ704が空きスペースに向かってフォルダのアイコンを拡張することは、
プリセットファイルに関する情報がプリセット領域に表示されるために使用される場合、検出された空きスペースが設定された閾値以上であるときに、プロセッサ704によって、フォルダがプリセットファイルを含んでいるかどうかを判定するステップ、および、フォルダがプリセットファイルを含んでいると判定された場合に、空きスペースに向かってフォルダのアイコンを拡張するステップを含む。
【０１３８】
好ましくは、入力装置702は、プロセッサ704がフォルダのアイコンが配置されているユーザインタフェース位置周辺の空きスペースを検出する前に、フォルダのアイコンを拡張するために使用される操作を取得するようにさらに構成されている。
【０１３９】
プロセッサ704が、フォルダのアイコンが配置されているユーザインタフェース位置周辺の空きスペースを検出することは、
入力装置702がフォルダのアイコンを拡張するために使用される操作を取得すると、プロセッサ704によって、フォルダのアイコンが配置されているユーザインタフェース位置周辺の空きスペースを検出するステップを含む。
【０１４０】
好ましくは、入力装置702は、フォルダのアイコンを拡張するために使用される操作を取得するステップの前に、フォルダのアイコンが操作待ち状態に入るようにするために使用される操作を取得するようにさらに構成されている。
【０１４１】
プロセッサ704は、フォルダのアイコンが操作待ち状態に入るようにするために使用され、入力装置702によって取得された操作に応じて、フォルダのアイコンを操作待ち状態に入らせるようにさらに構成されている。
【０１４２】
好ましくは、入力装置702がフォルダのアイコンを拡張するために使用されるトリガ操作を取得することは、
入力装置702によって、フォルダのアイコンを横方向に拡張するために使用される操作を取得するステップを含む。
【０１４３】
プロセッサ704が空きスペースに向かってフォルダのアイコンを拡張することは、
フォルダのアイコンを横方向に拡張するために使用され、入力装置702によって取得された操作に応じて、プロセッサ704によって、フォルダのアイコンを横方向に拡張するステップを含む。
【０１４４】
好ましくは、入力装置702がフォルダのアイコンを拡張するために使用されるトリガ操作を取得することは、
入力装置702によって、フォルダのアイコンを縦方向に拡張するために使用される操作を取得するステップを含む。
【０１４５】
プロセッサ704が空きスペースに向かってフォルダのアイコンを拡張することは、
フォルダのアイコンを縦方向に拡張するために使用され、入力装置702によって取得された操作に応じて、プロセッサ704によって、フォルダのアイコンを縦方向に拡張するステップを含む。
【０１４６】
本発明の実施形態は、端末をさらに提供し、この端末は、
フォルダのアイコンを縮小するために使用される操作を取得するように構成された入力装置と、
フォルダ内のプリセットファイルに関する情報をフォルダのアイコン領域のプリセット領域に表示するように構成された出力装置と、
フォルダのアイコンを縮小するために使用され、入力装置によって取得された操作に応じて、フォルダのアイコンを縮小するためにプリセット領域を減じるように構成されたプロセッサと
を含んでいる。
【０１４７】
好ましくは、入力装置がフォルダのアイコンを縮小するために使用される操作を取得することは、
入力装置によって、プリセット領域で実行される操作を取得するステップを含み、ここで、プリセット領域で実行される操作は、フォルダのアイコンを縮小するために使用される。
【０１４８】
好ましくは、入力装置がフォルダのアイコンを縮小するために使用される操作を取得することは、
入力装置によって、フォルダのアイコンを横方向に縮小するために使用される操作を取得するステップを含む。
【０１４９】
プロセッサが、フォルダのアイコンを縮小するために使用され、入力装置によって取得された操作に応じて、プリセット領域を減じることは、
フォルダのアイコンを横方向に縮小するために使用され、入力装置によって取得された操作に応じて、プロセッサによって、プリセット領域を減じるステップを含む。
【０１５０】
好ましくは、入力装置がフォルダのアイコンを縮小するために使用される操作を取得することは、
入力装置によって、フォルダのアイコンを縦方向に縮小するために使用される操作を取得するステップを含む。
【０１５１】
プロセッサが、フォルダのアイコンを縮小するために使用され、入力装置によって取得された操作に応じて、プリセット領域を減じることは、
フォルダのアイコンを縦方向に縮小するために使用され、入力装置によって取得された操作に応じて、プロセッサによって、プリセット領域を減じるステップを含む。
【０１５２】
好ましくは、入力装置がフォルダのアイコンを縮小するために使用される操作を取得することは、
プリセット領域からプリセット領域を除いたフォルダのアイコン領域にスライドするスライド操作を、入力装置によって取得するステップを含む。
【０１５３】
プロセッサが、フォルダのアイコンを縮小するために使用され、入力装置によって取得された操作に応じて、プリセット領域を減じることは、
入力装置によって取得されたスライド操作に応じて、フォルダのアイコン領域を、プロセッサによって縮小するステップを含み、ここで、縮小されるフォルダのアイコン領域は、縮小するステップの前の、フォルダのアイコン領域からプリセット領域を減じるステップによって取得される領域である。
【０１５４】
当業者は、実施形態の方法のステップのすべてまたは一部が、関連するハードウェアを指示するプログラムにより実現され得ることを理解することができる。プログラムは、コンピュータ読み取り可能な記憶媒体に格納されてもよい。記憶媒体は、ROM、RAM、磁気ディスク、または光ディスクを含んでもよい。
【０１５５】
上記は、本発明の実施形態によるフォルダ内のファイルを開くための方法および端末の詳細な説明を提供し、具体的な例が、本発明の趣旨および実施態様を説明するために、本明細書で適用されている。前述の実施形態の説明は、単に本発明の方法およびコアアイデアを理解するのに役立つ。また、本発明の着想に基づいて、当業者は、特定の実施態様および適用範囲を修正することができる。要するに、本明細書の内容は本発明を限定するものと解釈されるべきではない。
【符号の説明】
【０１５６】
401  端末
402  取得ユニット
403  判定ユニット
404  オープニングユニット
501  端末
502  取得ユニット
503  判定ユニット
504  オープニングユニット
505  検出ユニット
506  拡張ユニット
507  表示ユニット
601  端末
602  取得ユニット
603  拡張および縮小ユニット
701  端末
702  入力装置
703  出力装置
704  プロセッサ
【図１】
0006304787.tif 000002
【図２】
0006304787.tif 000003
【図３】
0006304787.tif 000004
【図４】
0006304787.tif 000005
【図５】
0006304787.tif 000006
【図６】
0006304787.tif 000007
【図７】
0006304787.tif 000008
【図８】
0006304787.tif 000009
【図９】
0006304787.tif 000010
【図１０】
0006304787.tif 000011
【図１１】
0006304787.tif 000012
【図１２】
0006304787.tif 000013
【図１３】
0006304787.tif 000014
【図１４】
0006304787.tif 000015
【図１５】
0006304787.tif 000016